(57)【特許請求の範囲】
【請求項１】
通信信号を処理する方法において、
第１信号を処理して当該第１信号の複数のマルチパス成分のそれぞれの信号強度を判定するステップによって、当該第１信号の複数のマルチパス成分におけるそれぞれの相関メトリックをそれぞれ発生するステップであって、前記複数のマルチパス成分のそれぞれが関連するそれぞれの時間を有するステップと、
前記複数のマルチパス成分について判定した前記信号強度に基づいて、前記複数のマルチパス成分に関連した複数時間の間における時間差から判定される第１相関時間及び第２相関時間において変調シーケンスとの第２信号の各時間オフセット相関を発生するステップと
を有し、
前記信号強度を判定するステップは、
−前記第１信号から前記第１相関時間の集合を判定するステップであって、
複数の相関時間のそれぞれにおいて前記第１信号を前記変調シーケンスと相関させて、複数の相関出力のそれぞれを発生するステップと、
前記複数の相関出力のそれぞれの信号強度をそれぞれ判定するステップと、
前記複数の相関出力の前記判定した信号強度に基づいて、前記複数の相関時間から前記第１相関時間の集合を判定するステップと
を有するステップと、
−前記第１相関時間の集合に含まれる各第１相関時間において前記第１信号を前記変調シーケンスと相関させて第１相関出力をそれぞれ発生するステップと、
−前記第１相関出力の各々に対してそれぞれの信号強度を判定するステップと、
−前記第１相関出力に対して判定した信号強度に基づいて前記第２相関時間を判定するステップと
を有し、
前記第１相関時間の集合を判定するステップは、前記複数の相関出力の前記判定した信号強度と所定の第１しきい値とを比較して、前記第１相関時間の第１の集合を選択するステップを有し、
前記第２相関時間を判定するステップは、
前記第１相関時間の第１の集合の部分集合を選択して、前記第１相関時間の集合の１つの前記第１相関時間と他の少なくとも１つの第１相関時間との間の少なくとも１つの時間差を判定するステップと、
当該少なくとも１つの時間差から前記第２相関時間を判定するステップと
を有することを特徴とする方法。
【請求項２】
前記第１及び第２信号は、同一信号である請求項１記載の方法。
【請求項３】
前記複数の相関出力のそれぞれの信号強度をそれぞれ判定する前記ステップは、前記複数の相関出力のそれぞれに対する各平均信号強度を判定するステップを含み、
第１相関時間の集合を判定する前記ステップは、第１しきい値より大きい対応する判定平均信号強度を有するＬ第１相関時間の集合τ0，…，τL-1を選択するステップを含み（ただし、τ0，…，τL-1は、増加する遅延を表す一連の第１相関時間を表す）、
第２相関時間を判定する前記ステップは、
第２しきい値より大きい、対応する判定した平均信号強度を有する前記Ｌ第１の相関時間の集合の部分集合を選択するステップであって、前記部分集合は、Ｍ第１相関時間
0004559002.tif 000087
を含むステップと（だたし、
0004559002.tif 000088
は、増加する遅延を表す一連の第１相関時間を表す。）、
最大平均信号強度を有するＭ第１相関時間の部分集合の一つの第１相関時間と、Ｍ第１相関時間の前記部分集合のうちの他のそれぞれの第１相関時間との間におけるそれぞれの時間差
0004559002.tif 000089
を判定するステップと（ただし、
0004559002.tif 000090
は、増加する値の一連の時間差を表す。）、
次式の関係：
【数１】
0004559002.tif 000091
により第２相関時間
0004559002.tif 000092
から開始する優先順位より少なくとも１つの第２相関時間
0004559002.tif 000093
を判定するステップと
を備え、かつ
第２信号のそれぞれの時間オフセット相関を発生する前記ステップは、Ｌ第１相関時間及び判定した少なくとも１つの第２相関時間において前記第２信号の前記変調シーケンスとのそれぞれの時間オフセット相関を発生するステップを含む請求項１記載の方法。
【請求項４】
前記複数の相関出力のそれぞれの信号強度をそれぞれ判定する前記ステップは、前記複数の相関出力のそれぞれに対する平均信号強度をそれぞれ判定するステップを含み、
第１相関時間の集合を判定する前記ステップは、第１しきい値より大きい、対応する判定平均信号強度を有するＬ第１相関時間の集合τ0，…，τL-1を選択するステップを含み（ただし、τ0，…，τL-1は、増加する遅延を表す一連の第１相関時間を表す。）、
第２相関時間を判定する前記ステップは、
第２しきい値より大きい対応する判定平均信号強度を有する前記Ｌ第１の相関時間の部分集合を選択するステップであって、前記部分集合は、Ｍ第１相関時間
0004559002.tif 000094
を含むステップと（ただし、
0004559002.tif 000095
は、増加する遅延を表す一連の相関時間を表す。）、
最大平均信号強度を有するＭ第１相関時間の部分集合の一つの第１相関時間とＭ第１相関時間の前記部分集合のうちの他のそれぞれの第１相関時間との間におけるそれぞれの時間差Δ1，Δ2，…ΔM-1を判定するステップと（ただし、Δ1，Δ2，…ΔM-1は、増加する値の一連の時間差を表す。）、
次式の関係：
【数２】
0004559002.tif 000096
により第２相関時間
0004559002.tif 000097
により開始する優先順位により少なくとも１つの第２相関時間
0004559002.tif 000098
を判定するステップと
を備え、かつ
第２信号のそれぞれの時間オフセット相関を発生する前記ステップは、Ｌ第１相関時間及び前記判定された少なくとも１つの第２相関時間において変調シーケンスとの前記第２信号の時間オフセット相関をそれぞれ発生するステップを含む請求項１記載の方法。
【請求項５】
前記複数の相関出力のそれぞれの各信号強度をそれぞれ判定する前記ステップは、前記複数の相関出力のそれぞれに対する瞬時信号強度を判定するステップを含み、
第１相関時間の集合を判定する前記ステップは、あるしきい値を超え、対応する判定した瞬時信号強度を有するＬ第１相関時間の集合
0004559002.tif 000099
を選択するステップを含み（ただし、
0004559002.tif 000100
は、関連し、減少する判定瞬時信号強度を有する一連の第１相関時間を表す。）、
第２相関時間を判定する前記ステップは、
関連し、最大と判定した瞬時信号強度を有する前記第１相関時間
0004559002.tif 000101
と前記Ｌ第１相関時間の集合
0004559002.tif 000102
の他のそれぞれの第１相関時間との間の時間差Δ1，Δ2，…ΔM-1を判定するステップと（ただし、Δ1，Δ2，…ΔM-1は、関連し、減少する判定した瞬時信号強度を有する前記第１相関時間に対して一連の時間差を表す。）、
次式の関係：
【数３】
0004559002.tif 000103
により第２相関時間
0004559002.tif 000104
から開始する優先順位により少なくとも１つの第２相関時間
0004559002.tif 000105
を判定するステップとを備え、
第２信号のそれぞれの時間オフセット相関を発生する前記ステップは、前記Ｌ相関時間及び前記判定した少なくとも１つの第２相関時間において前記変調シーケンスとの前記第２信号のそれぞれの時間オフセット相関を発生するステップを含む請求項１記載の方法。
【請求項６】
前記複数の相関出力のそれぞれの信号強度をそれぞれ判定する前記ステップは、前記複数の相関出力のそれぞれに対する瞬時信号強度をそれぞれ判定するステップを含み、
第１相関時間の集合を判定する前記ステップは、あるしきい値を超え、対応する判定瞬時信号強度を有するＬ第１相関時間の集合
0004559002.tif 000106
を選択するステップを含み（ただし、
0004559002.tif 000107
は、関連する減少する判定瞬時信号強度を有する一連の第１相関時間を表す。）、
第２相関時間を判定する前記ステップは、
前記最大と判定された瞬時信号強度を有する前記第１相関時間
0004559002.tif 000108
と前記Ｌ第１相関時間の集合の他のそれぞれの第１相関時間との間のそれぞれの時間差Δ1，Δ2，…ΔM-1を判定するステップと（ただし、Δ1，Δ2，…ΔM-1は、関連する、減少する判定瞬時信号強度を有する前記第１相関時間に対して一連の時間差を表す。）、
次式の関係：
【数４】
0004559002.tif 000109
により第２相関時間
0004559002.tif 000110
から開始する優先順位により少なくとも一つの第２相関時間
0004559002.tif 000111
を判定するステップとを備え、
第２信号のそれぞれの時間オフセット相関を発生する前記ステップは、前記Ｌ第１相関時間及び前記判定した少なくとも１つの第２相関時間において前記変調シーケンスとの前記第２信号のそれぞれの時間オフセット相関を発生するステップを含む請求項１記載の方法。
【請求項７】
前記複数の相関出力のそれぞれの各信号強度を判定する前記ステップは、前記複数の相関出力のそれぞれに対する各平均信号強度を判定するステップを含み、
第１相関時間の集合を判定する前記ステップは、あるしきい値より大きい、関連する判定した平均信号強度を有するＭ第１相関時間の集合
0004559002.tif 000112
を選択するステップを含み（ただし、
0004559002.tif 000113
は、関連する、減少する判定平均信号強度を有する一連の相関時間を表す。）、
第２相関時間を判定する前記ステップは、
前記第１相関時間
0004559002.tif 000114
と前記部分集合のＭ第１相関時間の他のそれぞれの第１相関時間との間のそれぞれの時間差Δ1，Δ2，…ΔM-1を判定するステップと、
次式の関係：
【数５】
0004559002.tif 000115
（ただし、
0004559002.tif 000116
は、ゼロ遅延相関時間の集合である。）により第２相関時間の集合
0004559002.tif 000117
から開始する優先順位により少なくとも第２相関時間の集合
0004559002.tif 000118
を判定するステップとを備え、
第２信号のそれぞれの時間オフセット相関を発生する前記ステップは、前記ゼロ遅延相関時間の集合及び前記判定した少なくとも第２相関時間の集合において前記変調シーケンスとの前記第２信号のそれぞれの時間オフセット相関を発生するステップを含む請求項１記載の方法。
【請求項８】
複数の相関メトリックスをそれぞれ発生する前記ステップは、
前記第１信号から予測したチャネル応答を発生するステップと、
複数の逆フィルタ係数のそれぞれ、及びこれに関連するそれぞれの遅延を含む前記予測したチャネル応答を判定するステップと
を含み、かつ
それぞれの時間オフセット相関を発生する前記ステップは、前記逆フィルタ係数に基づく前記複数の遅延から選択したそれぞれの相関時間において前記変調シーケンスとの前記信号強度のそれぞれの時間オフセット相関を発生するステップを含む請求項１記載の方法。
【請求項９】
前記複数の遅延から選択したそれぞれの相関時間において前記変調シーケンスとの前記第２信号のそれぞれの時間オフセット相関を発生するステップは、前記対応する逆フィルタ係数が所定のしきい値より大きい複数の遅延の遅延との前記変調シーケンスにより前記第２信号のそれぞれの時間オフセット相関を発生するステップを含む請求項８記載の方法。
【請求項１０】
受信機において、
第１信号を処理して当該第１信号の複数のマルチパス成分のそれぞれの信号強度を判定する手段を備えた、当該第１信号の複数のマルチパス成分のそれぞれについて相関メトリックスを発生する手段と、
それぞれの相関メトリックスを発生する前記手段に応答し、前記複数のマルチパス成分について判定した前記信号強度に基づいて、前記複数のマルチパス成分に関連した時間の間における時間差から判定される第１相関時間及び第２相関時間において、変調シーケンスとの第２信号のそれぞれの時間オフセット相関を発生する手段と、
前記第１信号から前記第１相関時間の集合を判定する手段と
を備え、
前記信号強度を判定する手段は、
第１相関時間の集合のそれぞれにおいて前記第１信号を前記変調シーケンスに相関させて、それぞれの第１相関出力を発生する手段と、
前記第１相関出力のそれぞれの信号強度を判定する手段と、
前記第１相関出力の前記判定した信号強度に基づいて前記第２相関時間を判定する手段と
を備え、
前記第１相関時間の集合を判定する手段は、
複数の相関時間のそれぞれにおいて前記第１信号と前記変調シーケンスとの相関をとり複数の相関出力をそれぞれを発生する手段と、
前記複数の相関時間のそれぞれの信号強度をそれぞれ判定する手段と、
前記複数の相関出力の前記判定した信号強度に基づいて前記複数の相関時間から前記第１相関時間の集合を判定する手段と
を備え、
前記第２相関時間を判定する手段は、
前記判定した信号強度と所定の第１しきい値とを比較して、前記第１相関時間の集合のうちの１つの第１相関時間を判定する手段と、
前記第１相関時間の集合のうちの前記判定した１つの第１相関時間と少なくとも１つの他の第１相関時間との間における少なくとも１つの時間差を判定する手段と、
前記少なくとも１つの時間差から前記第２信号を判定する手段と
を備える
ことを特徴とする受信機。
【請求項１１】
前記第１及び第２信号は、同一信号を含む請求項１０記載の受信機。
【請求項１２】
前記複数の相関時間のそれぞれの信号強度をそれぞれ判定する前記手段は、前記複数の相関出力のそれぞれについて平均信号強度をそれぞれ判定する手段を備え、
相関時間の集合を判定する前記手段は、第１しきい値より大きい、対応する判定した平均信号強度を有するＬ第１相関時間の集合τ0，…，τL-1を選択する手段を含み（ただし、τ0，…，τL-1は、増加する遅延を表す一連の第１相関時間を表す。）、
第２相関時間を判定する前記手段は、
第２しきい値より大きい、対応する判定した平均信号強度を有する前記Ｌ第１相関時間の集合の部分集合を選択する手段であって、前記部分集合はＭ第１相関時間
0004559002.tif 000119
を含む手段と（ただし、
0004559002.tif 000120
は、増大する遅延を表す一連の第１相関時間を表す。）、
最大平均信号強度を有するＭ第１相関時間の前記部分集合の一つの第１相関時間と、Ｍ第１相関時間の部分集合のそれぞれの他の第１相関時間との間における時間差Δ1，Δ2，…ΔM-1を判定する手段と（ただし、Δ1，Δ2，…ΔM-1は、増大する値の一連の時間差を表す。）、
次式の関係：
【数６】
0004559002.tif 000121
に従って第２相関時間
0004559002.tif 000122
から開始する優先順位により少なくとも１つの第２相関時間
0004559002.tif 000123
を判定する手段と
を備え、
第２信号のそれぞれの時間オフセット相関を発生する前記手段は、前記Ｌ第１相関時間及び前記判定した少なくとも１つの第２相関時間において前記変調シーケンスとの前記第２信号のそれぞれの時間オフセット相関を発生する手段を備えた請求項１０記載の受信機。
【請求項１３】
受信機において、
前記複数の相関時間のそれぞれの信号強度をそれぞれ判定する手段は、前記複数の相関出力のそれぞれについて平均信号強度をそれぞれ判定する手段を備え、
前記第１相関時間の集合を判定する前記手段は、あるしきい値より大きい、対応する判定した平均信号強度を有するＬ第１相関時間の集合
0004559002.tif 000124
を選択する手段を含み（ただし、
0004559002.tif 000125
は、減少する遅延を表す一連の第１相関時間を表す。）、
第２相関時間を判定する前記手段は、
第２しきい値より大きい、対応する判定した平均信号強度を有する部分集合の前記Ｌ第１相関時間の集合を選択する手段であって、前記部分集合がＭ第１相関時間τ0，…，τM-1を含む手段と（ただし、τ0，…，τM-1は、減少する遅延を表す一連の相関時間を表す。）、
最大平均信号強度を有する前記部分集合のＭ第１相関時間の一つの第１相関時間と前記部分集合のＭ第１相関時間のそれぞれの他の第１相関時間との間の時間差Δ1，Δ2，…ΔM-1をそれぞれ判定する手段と（ただし、Δ1，Δ2，…ΔM-1は、減少する値の一連の時間差を表す。）
次式の関係：
【数７】
0004559002.tif 000126
により第２相関時間
0004559002.tif 000127
から開始する優先順位により少なくとも１つの第２相関時間
0004559002.tif 000128
を判定する手段と
を備え、
第２信号のそれぞれの時間オフセット相関を発生する前記手段は、前記Ｌ第１相関時間及び前記判定した少なくとも１つの第２相関時間において、前記変調シーケンスとの前記第２信号のそれぞれの時間オフセット相関を発生する手段を含む請求項１０記載の受信機。
【請求項１４】
受信機において、
前記複数の相関出力のそれぞれの信号強度をそれぞれ判定する手段は、前記複数の相関出力のそれぞれについて瞬時信号強度を判定する手段を備え、
前記第１相関時間の集合を判定する前記手段は、あるしきい値を超え、対応する判定した瞬時信号強度を有するＬ第１相関時間の集合
0004559002.tif 000129
を選択する手段を含み（ただし、
0004559002.tif 000130
は、関連する、減少する判定瞬時信号強度を有する一連の第１相関時間を表す。）、
第２相関時間を判定する前記手段は、
最大と判定した瞬時信号強度を有する前記第１相関時間
0004559002.tif 000131
と前記Ｌ第１相関時間の集合
0004559002.tif 000132
のそれぞれの他の第１相関時間との間の時間差Δ1，Δ2，…，ΔM-1をそれぞれ判定する手段と
次式の関係：
【数８】：
0004559002.tif 000133
による第２相関時間
0004559002.tif 000134
から開始する優先順位により少なくとも１つの第２相関時間
0004559002.tif 000135
を判定する手段と
を備え、
第２信号のそれぞれの時間オフセット相関を発生する前記手段は、前記Ｌ第１相関時間及び前記判定した少なくとも１つの第２相関時間において、前記変調シーケンスとの前記第２信号のそれぞれの時間オフセット相関を発生する手段を含む請求項１０記載の受信機。
【請求項１５】
受信機において、
前記複数の相関出力のそれぞれの信号強度を判定する前記手段は、前記複数の相関出力のそれぞれの瞬時信号強度を判定する手段を含み、
Ｌ第１相関時間の集合を判定する前記手段は、しきい値を超え、対応する判定した瞬時信号強度を有するＬ第１相関時間の集合
0004559002.tif 000136
を選択する手段を含み（
0004559002.tif 000137
は、関連する、減少する判定瞬時信号強度を有する一連の第１相関時間を表す。）、
第２相関時間を判定する前記手段は、
最大と判定した瞬時信号強度を有する前記第１相関時間
0004559002.tif 000138
と前記Ｌ第１相関時間の集合のそれぞれの他の第１相関時間との間の時間差Δ1，Δ2，…，ΔM-1をそれぞれ判定する手段と（ただし、Δ1，Δ2，…，ΔM-1は、関連する、減少する判定瞬時信号強度を有する一連の時間差を表す。）、
次式の関係：
【数９】：
0004559002.tif 000139
による第２相関時間
0004559002.tif 000140
から開始する優先順位により少なくとも１つの第２相関時間
0004559002.tif 000141
を判定する手段と
を備え、
第２信号のそれぞれの時間オフセット相関を発生する前記手段は、前記Ｌ第１相関時間及び前記判定した少なくとも１つの第２相関時間において、前記変調シーケンスとの前記第２信号のそれぞれの時間オフセット相関を発生する手段を含む請求項１０記載の受信機。
【請求項１６】
受信機において、
前記複数の相関出力のそれぞれの信号強度をそれぞれ判定する前記手段は、前記複数の相関出力のそれぞれの平均瞬時信号強度を判定する手段を含み、
第１相関時間の集合を判定する前記手段は、しきい値より大きいと関連して判定した平均信号強度を有するＭ第１相関時間の集合
0004559002.tif 000142
を選択する手段を含み（ただし、
0004559002.tif 000143
は、関連する、減少する判定平均信号強度を有する一連の第１相関時間を表す。）、
第２相関時間を判定する前記手段は、
前記第１相関時間
0004559002.tif 000144
と前記Ｍ第１相関時間の部分集合のそれぞれの他の第１相関時間との間の時間差Δ1，Δ2，…，ΔM-1をそれぞれ判定する手段と、
次式の関係：
【数１０】：
0004559002.tif 000145
（ただし、
0004559002.tif 000146
は、ゼロ遅延相関時間である）により、第２相関時間の集合
0004559002.tif 000147
により開始する優先順位により少なくとも第２相関時間の集合
0004559002.tif 000148
を判定する手段と
を含み、
第２信号のそれぞれの時間オフセット相関を発生する前記手段は、前記ゼロ遅延相関時間の集合及び少なくとも第２相関時間の集合において、前記変調シーケンスとの前記第２信号のそれぞれの時間オフセット相関を発生する手段を含む請求項１０記載の受信機。
【請求項１７】
第１相関時間の集合を判定する前記手段は、所定の基準を満足し、対応する判定した信号強度を有する前記複数の相関時間のうちから複数の相関時間を選択する手段を含む請求項１６記載の受信機。
【請求項１８】
選択する前記手段は、所定のしきい値を超え、対応する判定した信号強度を有する前記複数の相関時間のうちから複数の相関時間を選択する手段を含む請求項１７記載の受信機。
【請求項１９】
それぞれの相関メトリックスを発生する前記手段は、
前記第１信号から予測チャネル応答を発生する手段と、
複数の逆フィルタ係数のそれぞれ、及び関連するそれぞれの遅延を含み、前記予測チャネル応答の逆フィルタを判定する手段と
を含み、
それぞれの時間オフセット相関を発生する前記手段は、前記逆フィルタ係数に基づいて前記複数の遅延から選択したそれぞれの相関時間において前記変調シーケンスとの前記第２信号のそれぞれの時間オフセット相関を発生する手段を含む請求項１０記載の受信機。
【請求項２０】
前記複数の遅延から選択したそれぞれの相関時間において前記変調シーケンスとの前記信号強度のそれぞれの時間オフセット相関を発生する手段は、前記対応する逆フィルタ係数が所定のしきい値より大きい複数の遅延のうちの複数の遅延で前記変調シーケンスにより前記信号強度のそれぞれの時間オフセット相関を発生する手段を含む請求項１９記載の受信機。
【発明の詳細な説明】
【０００１】
（発明の背景）
本発明は、通信方法及び装置に関し、特にスペクトラム拡散通信方法及び装置に関する。ワイヤレス通信システムは、加入者に音声通信及びデータ通信を提供するために一般的に採用されている。例えば、ＡＭＰＳ、ＥＴＡＣＳ、ＮＭＴ−４５０及びＮＭＴ−９００により表されるようなアナログ・セルラ無線電話システムは、長いこと世界中に首尾良く展開された。デジタル・セルラ無線電話システム、例えば北米標準ＩＳ−５４及び欧州標準ＧＳＭに適合するものは、１９９０の初期以来サービスされていた。最近、ＩＳ−１３６及びＩＳ−９５のような標準、ＤＥＣＴ（Ｄｉｇｉｔａｌ  Ｅｎｈａｎｃｅｄ  Ｃｏｒｄｌｅｓｓ  Ｔｅｌｅｐｈｏｎ：デジタル・コードレス電話）のような低電力システム、及びＣＤＰＤ（Ｃｅｌｌｕｌａｒ  Ｄｉｇｉｔａｌ  Ｐａｃｋｅｔ  Ｄａｔａ：セルラ・デジタル・パケット・データ）のようなデータ通信サービスに適合する最新のデジタル・セルラ・システムを含む、ＰＣＳ（Ｐｅｒｓｏｎａｌ  Ｃｏｍｍｏｎ  Ｓｅｒｖｉｖｅｓ：パーソナル通信サービス)と広く呼ばれる種々のワイヤレス・デジタル・サービスが導入された。これらのシステム及び他のシステムは、ギブソン（Ｇｉｂｓｏｎ）により編集され、かつＣＲＣプレス（１９９６）により刊行された移動通信ハンドブック（Ｔｈｅ  Ｍｏｂｉｌｅ  Ｃｏｍｍｕｎｉｃａｔｉｏｎ  Ｈａｎｄｂｏｏｋ）に説明されている。
【０００２】
図１は、典型的な陸上（ｔｅｒｒｅｓｔｒｉａｌ）セルラ無線電話システム２０を示す。セルラ無線電話システム２０は、複数の基地局２６及び移動電話交換局（ＭＴＳＯ）２８により、サービスされる複数のセル２４と通信する１以上の無線電話（端末）２２を備えることができる。図１には、３セル２４のみが示されているが、典型的なセルラ・ネットワークは、数百のセルを含むこと、１より多くのＭＴＳＯを含むこと、及び数千の無線電話をサービスすることができる。
【０００３】
セル２４は、一般的に、通信システム２０においてノードとしてサービスをし、これにより、複数のリンクがセル２４をサービスしている基地局２６を介して端末２２とＭＴＳＯ２８との間に確立される。各セル２４は、典型的には、１以上の専用制御チャネル、及び１以上のトラヒック・チャネルが割り付けられる。制御チャネルは、セル識別及びページング情報の送信に使用される専用チャネルである。トラヒック・チャネルは、音声及びデータ情報を搬送する。二重無線通信リンクは、通信システム２０を介して２移動端末２２間、又は公衆交換電話ネットワーク（ＰＳＴＮ）３４を介して移動端末２２と陸線電話の利用者３２との間で実施されてもよい。基地局２６の機能は、セル２４と移動端末２２との間で無線通信処理することである。従って、基地局２６は、データ信号及び音声信号用の中継局として機能する。
【０００４】
図２に示すように、衛星４２は、通常の陸上基地局により実施される機能と同様の機能を実行するために、例えば、人口が過疎である、又は荒れ地を有し、技術的に若しくは経済的に通常の陸線電話又は陸上セル電話インフラストラクチャを実施不可能になり勝ちなエリアをサービスするときに採用することができる。衛星無線電話システム４０は、典型的には、１以上の地球局４４と複数の端末２３との間で中継又はトランスポンダとして利用する１以上の衛星４２を含む。衛星は、端末２３及び地球局４４に対する二重リンク４６により無線電話通信を搬送する。更に、地球局４４は、公衆交換電話ネットワーク３４に接続されてもよく、衛星無線電話間の通信、及び衛星無線電話と通常の陸上セル無線電話又は陸線電話との間の通信を可能にする。衛星無線電話システム４０は、システムによってサービスされるエリア全体に到達する単一のアンテナ・ビームを利用してもよく、又は図に示すように、衛星は、最小の重なり合いにより多数のビーム４８を発生するように設計されてもよく、それぞれがシステムのサービス・エリアにおいて明確な地理的なサービス・エリア５０をサービスする。サービス・エリア５０は、図１の通信システム２０のセル２４と同様の機能をサービスする。
【０００５】
いくつかの形式のアクセス技術的は、通常、図１及び２に示すものと同様に、ワイヤレス・システムの利用者に対してワイヤレス・サービスを提供するために使用される。これら従来のアナログ・セルラ・システムは、一般的に、複数の通信チャネルを形成するために周波数分割多元接続（ＦＤＭＡ）と呼ばれるシステムを採用し、別個的な複数の周波数帯域は、複数のチャネルをサービスし、複数のセルラ端末が複数のセルラ基地局と通信するチャネルとして利用される。典型的には、これらの帯域は、システム容量を増加させるために地理的に離れているセルで再使用される。現代のデジタル・ワイヤレス・システムは、スペクトラムの利用効率を高めるために時分割多元接続（ＴＤＭＡ）及び／又は符号分割多元接続（ＣＤＭＡ）のような異なる多元接続技術的を典型的に利用している。ＴＤＭＡシステムにおいて、例えばＧＳＭ又はＩＳ−１３６標準に適合するものは、複数チャネルを単一の搬送波に多重化できるように、逐次的な複数のタイム・スロットに分割され、これらが多数のチャネルに割り付けられる。ＣＤＭＡシステム、例えばＩＳ−９５標準に適合するものは、「スペクトラム拡散」技術を使用することによりチャネル容量の増加を達成しており、固有の拡散符号、即ち通信システムが動作している周波数スペクトラムの広い部分にわたり元のデータ被変調搬送波を拡散させる符号によって、データ被変調搬送波信号を変調することにより、１チャネルが確定される。
【０００６】
通常のスペクトラム拡散ＣＤＭＡ通信システムは、一般的に、いわゆる「直接シーケンス（ｄｉｒｅｃｔ  ｓｅｑｕｅｎｃｅ）」スペクトラム拡散変調を使用する。直接シーケンス変調において、データ被変調搬送波は、電力増幅器により増幅されて通信媒体、例えばエア・インターフェースを介して送信される前に、拡散符号即ちシーケンスにより直接変調される。拡散符号は、典型的には、送信されるデータのビットレートより遙かに高いチップレートにより発生する「チップ」のシーケンスを典型的に含む。
【０００７】
典型的なＤＳ−ＣＤＭＡシステムにおいて、異なる複数の利用者からのデータ・ストリームは、種々の信号処理ステップ、例えば誤り訂正符号化ステップ又はインタリーブするステップが実施され、かつ利用者固有拡散符号とグループ固有符号との組合わせを使用することにより、拡散される。次いで、複数の利用者からの符号化データ・ストリームは、組合わせられ、搬送波変調が実行されて、通信媒体における複合信号として送信される。
【０００８】
ＲＡＫＥ受信機構造は、利用者ストリームのうちの１つに対応する情報を再生するために通常使用される。典型的なＲＡＫＥ受信機において、受信した複合信号は、典型的には，複数の相関時間（例えば、遅延）のそれぞれにおいて受信機に割り付けられた特定の拡散シーケンスにより相関をとり、複数の時間−オフセット相関を発生し、それぞれは、送信したスペクトラム拡散信号のエコー（マルチパス）に対応する。そこで、相関は、重み付け方式で組み合わせられる。即ち、それぞれの相関は、それぞれの重み付け係数により乗算され、次いで総和を取って決定統計（ｄｅｃｉｓｉｏｎ  ｓｔａｔｉｓｔｉｃｓ）を得る。スペクトラム拡散信号のマルチパス・ダイバシチ受信（例えば、ＲＡＫＥ受信）により組み合わせるようにマルチパスを選択する技術が公開された欧州特許出願ＥＰ  ０  ７４９  ２１５  Ａ２、及び公開されたＰＣＴ国際特許出願ＷＯ  ９６／１０８７３（公開１９９６年４月１１日公開）に説明されている。
【０００９】
ＣＤＭＡシステムのパフォーマンスは、一般的に、異なる複数のユーザ信号における干渉により限定される。拡散／逆拡散である程度の干渉抑圧が得られるが、しかしユーザ数は、干渉によって制限される。従来のＲＡＫＥ受信技術は、一般的に、干渉を白色雑音として処理する。最近提案された技術は、干渉のホワイトニング（ｗｈｉｔｅｎｉｎｇ）によりある程度、干渉打ち消しが得られる。このような技術例は、「通信における特定の分野に関するＩＥＥＥジャーナル、第１２巻、第８１７頁〜第８２７頁（１９９６年６月）」において、モンク（Ｍｏｎｋ）ほかによる「多重アクセス雑音除去に対するホワイトニング・アプローチ−その１：理論と背景（Ａ  Ｎｏｉｓｅ  Ｗｈｉｔｅｎｉｎｇ  Ａｐｐｒｏａｃｈ  ｔｏ  Ｍｕｌｔｉｐｌｅ  Ａｃｃｅｓｓ  Ｎｏｉｓｅ  Ｒｅｊｅｃｔｉｏｎ−Ｐａｒｔ  Ｉ：Ｉｈｅｏｒｙ  ａｎｄ  Ｂａｃｋｇｒｏｕｎｄ）」、「通信における特定の分野に関するＩＥＥＥジャーナル、第１４巻、第１４８８頁〜第１４９９頁（１９９６年１０月）」において、モンク（Ｍｏｎｋ）ほかによる「多重アクセス雑音除去に対するホワイトニング・アプローチ−その２  II：実施上の諸問題（Ａ  Ｎｏｉｓｅ  Ｗｈｉｔｅｎｉｎｇ  Ａｐｐｒｏａｃｈ  ｔｏ  Ｍｕｌｔｉｐｌｅ  Ａｃｃｅｓｓ  Ｎｏｉｓｅ  Ｒｅｊｅｃｔｉｏｎ−Ｐａｒｔ  II：Ｉｍｐｌｅｍｅｎｔａｔｉｏｎ  Ｉｓｓｕｅｓ）」、「１９９７年ＩＥＥＥ車両技術会議、アリゾナ州フェニックス（１９９７年５月４日〜７日）、クライン（Ｋｌｅｉｎ）による「ＣＤＭＡ移動無線システムのダウンリンク用に特に設計されたデータ検出アルゴリズム」（Ｄａｔａ  Ｄｅｔｅｃｔｉｏｎ  Ａｌｇｏｌｉｔｈｍｓ  Ｓｐｅｃｉｆｉｃａｌｌｙ  Ｄｅｓｉｇｎｅｄ  ｆｏｒ  ｔｈｅ  Ｄｏｗｎｌｉｎｋ  ｏｆ  ＣＤＭＡ  Ｍｏｂｉｌｅ  Ｒａｄｉｏ  Ｓｙｓｔｅｍ）、デント（Ｄｅｎｔ）ほかに対する米国特許第５，５７２，５５２号（１９９６年１１月５日発行）、及びボトムレー（Ｂｏｔｔｏｍｌｅｙ）による「第４３回ＩＥＥＥ車両技術会議報告、ニュージャージ州セコーカス（Ｓｅｃａｕｃｕｓ）アリゾナ州フェニックス（１９９３年５月１８日〜２０日）における、「ダウンリンクＣＤＭＡ信号の復調用レイク受信機の最適化（Ｏｐｔｉｍｉｚｉｎｇ  ｔｈｅ  Ｒａｋｅ  Ｒｅｃｅｉｖｅｒ  ｆｏｒ  Ｄｅｍｏｄｕｌａｔｉｏｎ  ｏｆ  Ｄｏｗｎｌｉｎｋ  ＣＤＭＡ  Ｓｉｇｎａｌｓ）」に説明されている。
【００１０】
（発明の概要）
本発明の実施例によれば、相関メトリックスに基づく信号のマルチパス成分に関連した時間の間、好ましくは、マルチパス成分に関連した信号強度測定値間の時間差から相関時間を判断する。本発明の種々の実施例によれば、最適平均（ａｖｅｒａｇｅ  ｏｐｔｉｍａｌ：ＡＯ）又は瞬時最適（ｉｎｓｔａｎｔａｎｅｏｕｓ  ｏｐｔｉｍａｌ：ＩＯ）選択基準を使用して、「所望の信号収集」及び「干渉収集」相関時間を選択する選択戦略を採用する。これらの基準には、例えば、相関時間において信号のマルチパス成分に関連した信号強度用のしきい値が含まれてもよく、前記信号強度には、信号電力又は信号対雑音比の絶対値又は相対測定値が含まれてもよい。他の実施例によれば、相関時間は、予測チャネル応答の逆フィルタを使用して選択される。関連装置も説明している。
【００１１】
公開されたＰＣＴ国際出願ＷＯ  ０１／０１５９４（２００１年１月４日公開）、及び公開されたＰＣＴ国際出願ＷＯ  ０１／０１５９５（２００１年１月４日公開）は、干渉除去組み合わせ（ＩＲＣ）を利用したＲＡＫＥ型受信機、又は干渉の存在においてパフォーマンスの改善が得られる干渉ホワイトニング技術を説明している。本発明は、これらのおよび他のＲＡＫＥ受信機のパフォーマンスは受信機で使用する相関時間（遅延）の慎重な選択により改善することができるという発見から出発したものである。
【００１２】
特に、本発明の一実施例によれば、それぞれの相関メトリックスは、第１信号の複数のマルチパス成分のそれぞれに対して発生される。第２信号の変調シーケンスとの時間オフセット相関は、それぞれは、前記複数のマルチパス成分に関連した相関メトリックスに基づいて前記複数のマルチパス成分に関連した時間の間の時間差から決まるそれぞれの相関時間で発生される。本発明による好ましい実施例において、第１信号は、第１信号の複数のマルチパス成分のそれぞれの信号強度が判定されるように処理される。変調シーケンスとの第２信号の時間オフセット相関のそれぞれは、前記複数のマルチパス成分の前記判定した信号強度に基づき、前記複数のマルチパス成分に関連した時間の間の時間差から決まった相関時間で発生される。
【００１３】
本発明の実施例によれば、２段の相関時間選択アプローチが使われ、そこでは、「所望の信号収集」相関時間を使用して付加的な「干渉収集」相関時間を判定し、これが干渉打ち消し即ちホワイトニングの助けとなり得る。第１信号は、一組の第１の「所望の信号収集」相関時間」のそれぞれにおいて変調シーケンスと相関されてそれぞれの第１相関出力を発生する。前記第１相関出力に対してそれぞれの信号強度を判断する。前記第１相関出力に対して判断した信号強度に基づいて、第２「干渉収集」相関時間が決まる。前記第１及び第２相関時間において、前記変調シーケンスとの第２信号のそれぞれの時間オフセット相関が発生される。
【００１４】
本発明の他の特徴によれば、判定された信号強度基準に基づいて前記第１相関時間の間の時間差から前記第２相関時間が決まる選択戦略を使用する。所定の基準を満足させる信号強度を有する前記一組の第１の相関時間の一つの第１相関時間が識別される。次いで、前記一組の第１相関時間の前記識別した少なくとも一つの第１相関時間と、少なくとも他の１つの第１相関時間との間の少なくとも１つの時間差が判定される。前記少なくとも一つの時間差から前記第２相関時間が判定される。
【００１５】
本発明他の実施例において、それぞれの相関メトリックスは、第１信号から予測チャネル応答を発生することにより判断される。次いで、予測チャネル応答の逆フィルタが決まり、この予測チャネル応答は、複数の逆フィルタ係数のそれぞれ、及びそれに関連したそれぞれの遅延を含む。第２信号と変調シーケンスとのそれぞれの時間オフセット相関は、逆フィルタ係数に基づく複数の遅延から選択されたそれぞれの相関時間において発生される。予測チャネル応答は、瞬時チャネル応答又は平均応答予測を含めてもよい。
【００１６】
本発明の更に他の特徴によれば、受信機は、受信信号に応答して、第１信号の複数のマルチパス成分のそれぞれに対する相関メトリックスをそれぞれ発生する相関タイミング判定器を含み、前記マルチパス成分のそれぞれは、それに関連したそれぞれの相関時間を有し、かつ前記相関メトリックスに基づいて前記複数のマルチパス成分に関連した時間の間の時間差から一組の相関時間を判定する。前記相関タイミング判定器に動作的に関連した相関ユニットは、前記選択した一組の相関時間のそれぞれの相関時間において、変調シーケンスとの第２信号の時間オフセット相関のそれぞれを発生する。組み合わせ器は、前記変調シーケンスを前記第２信号の複数の前記時間オフセット相関と組合わせて前記第２信号により表された情報の予測を発生する。本発明の一実施例において、前記相関タイミング判定器は、前記マルチパス成分のそれぞれに対してそれぞれの相関出力を発生するサーチ相関器を含む。信号強度判定器は、前記第１信号の前記複数のマルチパス成分のそれぞれの成分の信号強度をそれぞれ判断する。相関時間選択器は、前記判定した信号強度に基づいて、前記相関器で使う前記一組の相関時間を選択する。
【００１７】
（図面の詳細な説明）
ここで、本発明の好ましい実施例を示す添付図面を参照して本発明を以下更に詳細に説明する。しかしながら、本発明は、多くの異なる形式により実施可能とされ、ここで述べているこれら実施例に限定されると解釈されるべきではない。むしろ、これらの実施例は、その開示が全体にわたって完全、かつ当該技術分野に習熟する者に本発明の範囲を十分に表現するように、提供されている。これらの図において、同一番号は、同一要素を表している。
【００１８】
ここでの説明は、ワイヤレス通信システムに関し、特に、ワイヤレス符号分割多元接続（ＣＤＭＡ）、例えばＩＳ−９５標準に適合するシステム、又は広帯域ＣＤＭＡ（ＷＣＤＭＡ、ＣＤＭＡ２０００等）に対して提案された標準に関する。このようなワイヤレス通信システムでは、例えば移動端末又は基地局に位置する送信機により１以上のアンテナ放射電磁波形が発生される。これらの波形は、無線伝搬環境において伝搬され、１以上のアンテナを介して受信器で受信される。ここでの説明は、無線環境、装置及び方法を指すが、ワイヤレス通信システムのような他の環境に適用可能であり、磁気ストレージ媒体からのデータの再生のような他の環境にも適用可能であることを理解すべきである。
【００１９】
図３は、例示的なワイヤレス端末３００、例えば本発明の実施例によるワイヤレス通信システムにおいて使用する端末を示す。端末３００は、マイクロプロセッサのようなマイクロコントローラ３７０、ダイナミック・ランダム・アクセス・メモリ（ＤＲＡＭ）、電気的消去可能プログラムマブル読み出し専用メモリ（ＥＥＰＲＰＭ）、又は他のストーレジ・デバイスのようなメモリ３６０に記憶されたプログラム命令を実行するマイクロプロセッサ、マイクロコントローラ又は同様のデータ処理装置のようなコントローラ３７０を含む。コントローラ３７０は、ディスプレイ３２０、キーパッド３３０、スピーカ３４０及びマイクロホン３５０のようなユーザ・インターフェース部品に動作的に関連され、これらの動作は、当該技術分野に習熟する者に知られており、ここでこれ以上説明することはしない。コントローラ３７０は、例えばアンテナ３１０を介して通信媒体に無線周波数（ＲＦ）信号を発信する無線送信器３８０の動作を制御／モニターする。
【００２０】
コントローラ３７０は、更に受信機３９０に動作的に関連されている。受信機は、アンテナ３１０を介して受信した受信信号ｒ（ｔ）と個々の変調シーケンス、例えばスクランブリング即ち拡散シーケンスとの相関を動作的にとる相関ユニット３９２を含む。ここで、説明しているように、相関ユニット３９２は、相関時間（例えば、遅延）においてこれらの相関を実行する。これらの相関時間は相関タイミング判定器３９４により、受信した信号のそれぞれのマルチパス成分に対するそれぞれのメトリックスに基づいて決まり、より好ましくは、平均又は瞬時信号電力或いは信号対雑音比測定値のような信号強度測定値に基づいて決まる。このような相関時間の選択動作例ついての詳細な説明をここで行う。
【００２１】
受信機３９０及び端末３００の他の構成要素は、種々のハードウェア及びソフトウェアを使用して実施されてもよいことを理解すべきである。例えば、相関ユニット３９２及び相関タイミング判断器３９４を含む受信機３９０の諸部分は、特定用途向け集積回路（ＡＳＩＣ）及びゲートアレーのような特殊用途向けのハードウェア、及び／又はマイクロプロセッサ、マイクロコントローラ又はディジタル信号プロセッサ（ＤＳＰ）のようなコンピュータ装置上で動作するファームウエアを使用して、実施されてもよい。受信機３９０の機能を単一ＡＳＩＣのように、単一装置に集積してもよいがこれらは、更にいくつかの装置間に分散されてもよいことを理解すべきである。
【００２２】
図４は、本発明の第１の実施例による相関受信機３９０’を示しており、特に、前述の公開されたＰＣＴ国際出願ＷＯ  ０１／０１５９５において、及び公開されたＰＣＴ国際出願ＷＯ  ００／２１２０８（２０００年４月１３日公開）に示されている。受信機３９０’は、通信媒体から受信した複合信号ｒ（ｔ）から所望の拡散シーケンスｓdにより送信されたスペクトラム拡散信号により表された情報を再生する。受信機３９０は、複合信号ｒ（ｔ）を受信する手段、例えば信号ｒ（ｔ）を増幅し、混合し、ろ波し、そして受信した信号ｒ（ｔ）のベースバンド・サンプルｒ（ｋ）を発生する動作を実行する無線プロセッサ４０５を備えている。無線プロセッサ４０５は、同様に種々の他の機能を実行するようにしてもよいことを理解すべきである。
【００２３】
ここでは相関器４１４のバンクにリンクされた遅延４１２のバンクとして示した相関ユニット３９２’は、ベースバンド信号ｒ（ｋ）を遅延させた信号をＮ相関時間τ0，τ1，…，τN-1において所望の拡散シーケンスｓdに相関させる。相関時間τ0，τ1，…，τN-1は、ベースバンド信号ｒ（ｋ）とチャネル予測器４３０により発生したチャネル予測とに応答して、相関タイミング判定器３９４’により決まる。相関器３９２’は、種々の他の形式により、例えばスライディング（ｓｌｉｄｉｎｇ）相関器を使用することにより、実施されてもよいことを理解すべきである。相関タイミング判定器３９４’は、好ましくは以下で詳細に説明するように、複数の平均最適（ＡＯ）又は瞬時最適（ＩＯ）相関時間選択戦略のうちの１つを使用して、ベースバンド信号ｒ（ｋ）のマルチパス成分に行った絶対信号電力、相対信号電力又は信号対雑音比のような信号強度測定値に基づいて相関時間τ0，τ1，…，τN-1を判断する。
【００２４】
相関ユニット３９２’により発生した相関ｘ0，ｘ1，…，ｘN-1は、重み付け組み合わせ器４１５において組み合わせられ、ここでは、チャネル予測器４３０により得られるチャネル予測や所望の拡散シーケンスｓdの統計的な特性のような情報及び複合信号ｒ（ｔ）に含まれている他のスペクトラム拡散信号の電力についての情報に基づき、重み付け係数発生器４２５により発生した重み付け係数を使用する。重み付け係数発生器４２５は、所望の拡散シーケンスｓdに対応する送信された元の拡散スペクトラム信号により表された情報を予測するために検出器４２０により使用可能とされる決定統計（ｄｅｃｉｓｉｏｎ  ｓｔａｔｉｓｔｉｃ）を発生する。検出器４２０は、例えば畳み込み（ｃｏｎｖｏｌｕｔｉｏｎａｌ）又はターボ復号化（ｔｕｒｂｏ  ｄｅｃｏｄｉｎｇ）のようなソフト復号化を採用してもよい。
【００２５】
図４の受信機３９０’は、異なる多数の方法により実施されてもよいことを理解すべきである。ここでの説明は、ワイヤレス通信システムの基地局と通信する動作が可能な移動端末又は他の端末において受信機３９０’の採用を言及しているが、受信機３９０’は、セルラ基地局のトランシーバに使用される受信機、衛星トランシーバ、ワイヤレス・トランシーバ及び他の通信装置に限定されるものではなく、これらを含む多数の他の形式により実施可能とされる。相関器３９２’、相関タイミング判定器３９４’、重み付け組み合わせ器４１５、重み付け係数発生器４２５、検出器４４０、及び受信機３９０’の他の構成要素は、例えば、特定用途向け集積回路（ＡＳＩＣ）チップ、又はディジタル信号プロセッサ（ＤＳＰ）チップ、又は説明した処理機能を実行するように構築された他の処理装置を使用して実施されてもよい。一般的に、特殊用途又は汎用データプロセッサ装置、又はその組み合わせを実行する特定用途向け回路、ソフトウェア又はファームウェアを使用して、受信機３９０’の構成要素を実施してもよいことも理解すべきである。
【００２６】
図５は、本発明の他の実施例による受信機３９０”を示しており、特に前述の公開されたＰＣＴ国際出願ＷＯ  ０１／０１５９４に説明されている多段干渉除去ホワイトニング（ＩＷ）ＲＡＫＥ受信機を示している。受信機３９０”は、通信媒体を介して受信される複合信号ｒ（ｔ）から、所望の拡散シーケンスｓｄに従って送信された拡散スペクトラム信号により示される情報に対応している。受信機３９０”は、例えば、複合信号ｒ（ｔ）を受信する手段と、信号ｒ（ｔ）を増幅し、混合し、ろ波し、そして受信した信号ｒ（ｔ）のベースバンド信号ｒ（ｋ）を発生する動作を実行する無線プロセッサ４０５を含むことを理解すべきである。無線プロセッサ４０５は、同様に、他の種々の機能を実行してもよいことも理解すべきである。
【００２７】
ここで、相関器４１４のバンクに接続された遅延４１２のバンクとして示す相関ユニット３９２”は、相関時間τ0，τ1，…，τN-1においてベースバンド信号ｒ（ｋ）を遅延した信号を所望の拡散シーケンスｓdと相関させる。相関時間τ0，τ1，…，τN-1は、ベースバンド信号ｒ（ｋ）と、チャネル予測器５３５により発生したチャネル予測に応答して、相関タイミング判定器３９４”により決められる。相関ユニット３９２”は、他の多くの形式において、例えばスライディング相関器を使用することにより、実施されてもよい。相関タイミング判定器３９４”は、好ましくは、ベースバンド信号ｒ（ｋ）のマルチパス成分についての信号強度測定値に基づいて相関時間τ0，τ1，…，τN-1を決める。より好ましくは、図５の実施例に対する相関時間τ0，τ1，…，τN-1は、相関の“スライド（ｓｌｉｄｅｓ）”を選択する平均最適相関時間選択戦略、即ち以下で詳細に説明するように、互いにオフセットされた複数組の相関時間を使用することにより、選択される。
【００２８】
ここで、相関ユニット３９２”により発生した第１及び第２グループそれぞれの相関ｘ0−ｘi，ｘi−ｘN-1は、第１及び第２組合せ器５１５ａ、５１５ｂそれぞれで組み合わされる。５１５ａ、５１５ｂはチャネル予測器５３５により予測したチャネル係数に従ってこれらの相関を組み合わせるチャネル補償組み合わせ器として示されている。ここで使用しているように、「チャネル補償」組み合わせは、一般的に、限定はされないがチャネル応答に一致する動作を含む、チャネル係数の使用を含む組み合わせ動作を指す。チャネル予測器５３５は、多数の異なる方法、例えば複数のパイロット・シンボル（例えば、パイロット又は他のチャネルにおける）又は再生したデータ・シンボルによる予測により、チャネル係数を予測してもよいことを理解すべきである。このような技術は、当該技術分野において習熟する者に知られており、ここで更に詳細に説明すべきものではない。
【００２９】
第１及び第２組み合わせ器５１５ａ及び５１５ｂのそれぞれに設けられたそれぞれのグループの相関は、それぞれの組の相関時間｛τ0，τ1，…τi}，｛τi，τi+1，…τN-1}との相関により、発生される。これらの相関時間セット｛τ0，τ1，…τi}，｛τi，τi+1，…τN-1}（即ち、スライド）は、構成要素、例えば｜τ1−τ0｜＝｜τi+1−τi｜と｜τi−τ1｜＝｜τN-1−τi+1｜との間で同一スペースを共有するが、しかしある時間間隔により互いにオフセットされる。図５に示す実施例の場合に、オフセット時間間隔は、第１及び第２チャネル補償組み合わせ器５１５ａ、５１５ｂが相関出力ｘiを共有するように、τiに等しい。しかしながら、オフセット時間間隔は、このように制限される必要はなく、複数セットの相関時間即ちスライドは、第１段の組み合わせ器５１５ａ、５１５ｂのそれぞれに関連する相関時間のそれぞれの組の間で、相関時間を共有しないように、オフセットされてもよい。
【００３０】
第１及び第２チャネル補償組み合わせ器５１５ａ、５１５ｂにより発生した第１及び第２組み合わせ値は、ここで重み付け係数発生器５３０により発生した重み付け係数に従って第１及び第２組み合わせ値を組み合わせる損傷補償組み合わせ器として示す第３組み合わせ器５２０により、組み合わせられる。重み付け係数発生器５３０は、予測した復号チャネル応答と損傷予測相関とから明確な計算によって、又は適応フィルタリング技術によって含まれる異なる多数の方法により、重み付け係数を発生してもよい。第３組み合わせ器５３０は、所望の拡散シーケンスｓｄに対応する送信された元の拡散スペクトラム信号により表された情報を予測するために、検出器５２５により使用されてもよい。検出器５２５は、例えば畳み込み復号化又はターボ復号化のようなソフト判定復号化を実行してもよい。
【００３１】
図５の受信機３９０”は、異なる多数の方法により、実施されてもよいことを理解すべきである。ここでの説明は、ワイヤレス通信システムの基地局と通信するように動作可能な移動体又は他の端末に受信機３９０”を採用することを言及したが、受信機３９０”は、セルラ基地局のトランシーバに使用される受信機、衛星トランシーバ、ワイヤレス・トランシーバ及び他の通信装置に限定されるものではなく、これらを含む多数の他の形式により実施可能とされる。相関ユニット３９２”、相関タイミング判定器３９４”、組み合わせ器５１５ａ、５１５ｂ、５２０、チャネル予測器５３５、重み付け係数発生器５３０、検出器５２５、及び受信機３９０”の他の構成要素は、例えば、特定用途向け集積回路（ＡＳＩＣ）、ディジタル信号プロセッサ（ＤＳＰ）チップ、又は説明した処理機能を実行するように構築された他の処理装置を使用して実施されてもよい。一般的には更に、特殊用途回路又は特定用途向け回路上で実行されるソフトウェア又はファームウェア又はそれらの組み合わせを使用して、受信機３９０”の構成要素を実施してもよいことを理解すべきである。
【００３２】
図６は、本発明の一実施例による相関タイミング判定器３９４を示す。相関タイミング判定器３９４は、サーチ・ウィンドウ判断器６４０により定義されたサーチ・ウィンドウ内で複数の相関時間τ0，τ1，…，τQのそれぞれにおいて、所望の変調シーケンスとのベースバンド信号ｒ（ｋ）のそれぞれの相関を実行するサーチ相関ユニット６１０を含む。サーチ・ウィンドウ判定器６４０は、例えば図４及び５のチャネル予測器４３０、５３５のようなチャネル予測器により発生したチャネル予測を使用して、相関時間τ0，τ1，…，τQを決めてもよい。このサーチ相関ユニットは、ベースバンド信号ｒ（ｋ）の複数のマルチパス成分に対応する複数の相関出力ｘ0'，ｘ1'，…，ｘQ'を発生する。相関出力ｘ0'，ｘ1'，…，ｘQ'は、ベースバンド信号ｒ（ｋ）のマルチパス成分のそれぞれに対する各信号強度を判定する信号強度判定器６２０によって処理される。判定された信号強度は、相関時間選択器６３０により使用されて、図４及び５の相関ユニット３９２’、３９２”のような関連する受信機の相関ユニットにより使用される特定の相関時間を判断する。以下、このような相関タイミング判定器３９４の動作例の詳細な説明をする。
【００３３】
（瞬時最適及び平均最適な相関時間選択）
本発明は、信号のマルチパス成分の信号強度測定値を使用して、ＲＡＫＥ受信機において使用される相関時間、例えば図４のＩＲＣ−ＲＡＫＥ受信機３９０’や図５のＩＷ−ＲＡＫＥ受信機３９０''における相関ユニット３９２’、３９２”において使用する遅延を最適に選択できる、という発見に基づくものである。ここで説明する実際的な戦略は、瞬時最適（ＩＯ：ｉｎｓｔａｎｔａｎｅｏｕｓ  ｏｐｔｉｍｕｍ）及び平均最適（ＡＯ：ａｖｅｒａｇｅ  ｏｐｔｉｍｕｍ）の２カテゴリに分類され得る。ＩＯ戦略は、好ましくは、相関時間がチャネルにフェージングが発生する程度の速度（ｒａｔｅ）で更新されるように、瞬時チャネル特性に基づいてＲＡＫＥ受信機の相関時間（フィンガ位置）を割り付ける。ＡＯ戦略は、平均チャネル特性に基づいてフィンガを割り付け、このようなＡＯ戦略では、ＩＯ戦略よりゆくりと相関時間を更新できることを意味する。
【００３４】
図７は、サーチ・ウィンドウ７１０の例を示しており、時間０、Ｔc及び２．５Ｔcにおいて、それぞれ０ｄＢ、−１．５ｄＢ及び−３ｄＢ値のチャネル応答係数の例を含む。ただし、Ｔcは、変調チップ期間である。図８〜９は、シミレーションヒストグラムであり、Ｋ＝２４直交イン・セル利用者（ｉｎ−ｃｅｌｌ  ｕｓｅｒｓ）、及び「強力（ｂｒｕｆｅ  ｆｏｒｃｅ）」サーチに基づき３ｄＢ及び１０ｄＢの信号対雑音比Ｅb／Ｎ0において拡散係数Ｎ＝３２に対するＩＲＣ−ＲＡＫＥ受信機のための３（図８）又は５(図９)相関時間を選択する際に、それぞれの最適相関時間の確率をそれぞれ示す。図８及び９に示すように、最尤相関時間は、図７のチャネル係数に関連した相関時間である。これらの相関時間に配置されたフィンガは、所望の信号に関連したエネルギを主として収集し、他の相関時間に配置されたフィンガは、干渉信号に関連したエネルギを主として収集すると思われる。所望の信号に関連するフィンガは、低い信号対雑音比Ｅb／Ｎ0において優位性を増加するように見え、同時に干渉抑圧に関連するフィンガは、高い方の信号対雑音比Ｅb／Ｎ0で有意性が増加する。
【００３５】
図１０及び１１は、シミレーションヒストグラムを示しており、Ｋ＝２４直交イン・セル利用者、及び３ｄＢ及び１０ｄＢの信号対雑音比Ｅb／Ｎ0において拡散係数Ｎ＝３２に対して３スライド（図１０）又は５スライド（図９）ＩＲＣ−ＲＡＫＥ受信機にそれぞれの最適スライド（相関時間の組（ｓｅｔｓ））の確率をそれぞれ示す。従って、可能性の最も高いスライドは、「ゼロ遅延スライド」に存在し、更に有意確率も±Ｔcにおいて、スライドに関連している。
【００３６】
図８〜１１から、瞬時チャネル測定値を用いて、例えば、新しいチャネル予測を発生する度に新しい一組の相関時間を選択することにより、チャネルが変化する速度（ｒａｔｅ）で、一組の最適相関時間を決定することができる、と結論付けることができる。このようなアプローチは、瞬時最適（ＩＯ）と呼ぶ。しかしながら、更に実際的な解決法は、チャネルのフェージング速度より遙かに小さい速度で新しい相関時間を判断するように、更に長い期間にわたる平均測定値に基づいて最適相関時間を判断することであってもよい。このようなアプローチは、平均最適（ＡＯ）と呼ぶことができる。
【００３７】
表１は、種々のフィンガ数を有し、かつ図７に示すチャネル・モデルを仮定するＩＲＣ−ＲＡＫＥ及びＩＷ−ＲＡＫＥ受信機に対する平均最適相関時間例を示す。
【００３８】
【表１】
0004559002.tif 000002
【００３９】
表１から明らかなように、３より多数の相関時間（フィンガ）によりＩＲＣ−ＲＡＫＥ受信機の場合、−Ｔc及び３．５Ｔcに「追加」干渉関連フィンガを配置してもよい。ＩＷ−ＲＡＫＥ受信機の場合、追加相関スライドは±Ｔc及び±２Ｔcを含めてもよい。
【００４０】
表２は、種々の値のマルチパス成分を有する信号用の５フィンガＩＲＣ−ＲＡＫＥ受信機に対する平均最適フィンガ位置例を示す。
【００４１】
【表２】
0004559002.tif 000003
【００４２】
（相関時間選択戦略）
本発明によれば、信号強度測定値に基づく選択戦略は、干渉打ち消し技術又はホワイトニング技術、例えば以上で説明したＩＲＣ−ＲＡＫＥ及びＩＷ−ＲＡＫＥ受信機に使用されているものを使用して、所望信号の検出、及び除去可能な干渉（有色干渉：ｃｏｌｏｒｅｄ  ｉｎｔｅｒｆｅｒｅｎｃｅ）の検出を強化できる相関時間（例えば、信号遅延）を選択するために使用される。一般的に、これらの選択戦略は、下記の特性を有する。
１．「所望信号の収集」相関時間、即ち好ましくは、受信信号の相関が所定のしきい値を超えるエネルギを有する相関時間を識別することにより、フィンガが所望信号からエネルギを最尤に収集する相関時間を識別する。
２．「干渉収集」相関時間、即ち好ましくは、信号強度基準に基づいて選択された、所望の選択信号収集相関時間の間における時間差から、フィンガが干渉信号からエネルギを最尤に収集する相関時間を識別する。
【００４３】
受信機は、典型的に、限定された数の相関時間を使用して作動される。従って、所望信号の収集相関時間が、好ましくは、最初に割り付けられ、受信機において利用可能な残りのフィンガが干渉収集相関時間に割り付けられる。
【００４４】
ここで説明した５つの相関時間選択戦略は、図４〜６に説明した装置のような装置を使用して実施されてもよい。特に、ここで説明する第１、第２、第３及び第４の相関時間選択戦略は、好ましくは、図４に示す受信機３９０’のようなＩＲＣ−ＲＡＫＥ受信機に使用され、一方ここで説明する第５の相関時間選択戦略は、好ましくは、図５に示す受信機３９０”のようなＩＷ−ＲＡＫＥ受信機に使用される。これらの戦略は、図４〜６に示す相関タイミング判定器３９４、３９４’、３９４”のような装置を使用して、実施されてもよい。
【００４５】
本発明の一実施例による第１の相関時間選択戦略は、図４の受信機３９０’のようにＩＲＣ−ＲＡＫＥ受信機用の相関時間を選択する平均最適アプローチを使用する。この第１の戦略によると、
【００４６】
１．それぞれの平均信号強度は、図６のサーチ相関ユニット６１０のようなサーチ相関ユニットにより、サーチ・ウィンドウにおけるそれぞれの相関時間に発生した複数の相関出力に対してそれぞれ判断される。
【００４７】
２．対応して判断された平均信号強度を有し、第１しきい値より大きい一組のＬ相関時間τ0，…，τL-1は、信号強度測定値に基づいて識別される。ただし、τ0，…，τL-1は、増大する一連の遅延である。これらは、「所望の信号収集」相関時間とみなしてよい。一組のＬ相関時間を選択する際には、他の回路を更に適用してもよい。例えば、２つの相関時間が所定のしきい値より小さい時間間隔により分離されているときは、一方の相関時間のみが一組のＬ相関時間に含まれるように選択されるように、最小分離基準を使用することができる。
【００４８】
３．次いで、Ｌ相関時間の組の副組（ｓｕｂｓｅｔ）が一組認識される。この副組は、対応する平均信号強度が第２しきい値より大きいＭ相関時間
0004559002.tif 000004
を含み、第２しきい値は、第１しきい値より大きい。ただし、相関時間
0004559002.tif 000005
は、対応する最大の信号強度を有し、
0004559002.tif 000006
は、増大する一連の遅延である。
【００４９】
４．「最強の」相関時間
0004559002.tif 000007
とＭ相関時間の副組における他の相関時間のそれぞれとの間でそれぞれの時間差Δ1，…ΔM-1を判断する。ただし、Δ1，…ΔM-1は、増大する値の一連の時間差である。
【００５０】
５．「干渉収集」相関時間とみなしてよい「追加」相関時間は、次式に従って相関時間
0004559002.tif 000008
より開始する時間差Δ1，…ΔM-1から決まる。
【００５１】
【数１１】
0004559002.tif 000009
ただし、既に判断した相関時間と同一である、又は十分近いと判断した相関時間を除く。
【００５２】
６．所望の信号収集及び干渉収集相関時間は、ＩＲＣ−ＲＡＫＥ受信機において使用される。
【００５３】
図１２Ａ〜１２Ｂは、この第１の選択戦略を実行する動作１２００例を示す。サーチ・ウィンドウにおける一組の相関時間τiに関連するそれぞれの平均信号強度Ｐiを判断する（ブロック１２０５）。反復変数ｉを０にセットし（ブロック１２１０）、信号強度Ｐiを調べて所定の基準を満たしているか否かを判定するループに入る。特定の相関時間τiに関連する信号強度Ｐiが第１しきい値Ａより大きいときは、相関時間τiを第１組Ａに加える（ブロック１２１５）。更に、組Ａに加えられた各相関時間τiをテストして対応する信号強度Ｐiが更に高い第２しきい値Ｂを超えているか否かを調べる。超えているのであれば、更に相関時間τiを第２組Ｂに加える（ブロック１２２０）。反復変数ｉを増加させ（ブロック１２２５）、次の相関時間τiをテストする。
【００５４】
第１組Ａにおける相関時間が所望信号の収集相関時間を表しているので、これらをＲＡＫＥ受信機に送出する（ブロック１２３０）。増加する遅延の順で、組ＢにおけるＭ相関時間
0004559002.tif 000010
を識別し（ブロック１２３５）、対応する最大の信号強度を有する相関時間
0004559002.tif 000011
を識別する（ブロック１２４０）。次いで、相関時間
0004559002.tif 000012
と組Ｂの他のそれぞれの相関時間との間でそれぞれの時間差Δjを判定し（ブロック１２４５）、遅延が増加する順｜Δ1｜＜｜Δ2｜＜…で識別する（ブロック１２５０）。
【００５５】
次に、反復変数ｋ及びｍを０にセットし（ブロック１２５５）、干渉収集相関時間を識別する第２ループに入る。次式により第１候補の相関時間
0004559002.tif 000013
を計算する（ブロック１２６０）。
【００５６】
【数１２】
0004559002.tif 000014
【００５７】
計算した相関時間
0004559002.tif 000015
が組Ａ又は第３組Ｃに既に存在していないときは（即ち、計算した相関時間が組Ａ又はＣ内に既にある相関時間と同一でない又は十分に近くないないときは）、これを組Ｃに加える（ブロック１２６５）。付加的な相関時間を必要としないときは、例えば、定義すべき付加的なフィンガがＲＡＫＥ受信機に残っていないときは、組Ｃ内の識別した相関時間をＲＡＫＥ受信機において（組Ａ内の以前に割り付けた相関時間と共に）使用する（ブロック１２９０）。しかしながら、付加的な相関時間を識別する必要があるときは、反復変数ｋを増加し（ブロック１２７０）、かつ次式に従って付加的な候補相関時間
0004559002.tif 000016
を計算する（ブロック１２７５）。
【００５８】
【数１３】
0004559002.tif 000017
【００５９】
計算したこの相関時間が組Ａ又はＣに存在しないときは（即ち、計算した相関時間が組Ａ又はＣ内に既にある相関時間と同一になっていない又は十分に近くないときは）、これをセットＣに加える（ブロック１２８０）。付加的な相関時間を必要としないときは、組Ｃにある相関時間をＲＡＫＥ受信機において使用する（ブロック１２９０）。付加的な相関時間が必要なときは、反復変数ｋ及びｍを増加し（ブロック１２８５）、ループに再び入り、新しい候補相関時間
0004559002.tif 000018
を計算する（ブロック１２６０）。次いで、必要とする全ての相関時間が決まるまで、付加的なループ動作が以上で説明したように進行する。
【００６０】
更に、本発明の他の実施例による第２の相関時間戦略は、ＩＲＣ−ＲＡＫＥ受信機、例えば図４の受信機３９０’用の相関時間を選択するために平均最適アプローチを使用する。この第２戦略によれば、
【００６１】
１．サーチ・ウィンドウ内の複数の相関時間のそれぞれにおいて、図６のサーチ相関ユニット６１０のようなサーチ相関ユニットにより発生した複数の相関出力のそれぞれについて、それぞれの平均信号強度を判定する。
【００６２】
２．信号強度測定値に基づいて、第１しきい値より大きな、対応して判定した平均信号強度を有する第１組のＬ相関時間τ0，…，τL-1を選択する（ただし、τ0，…，τL-1は、一連の増加する遅延である）。これらは、所望の信号収集相関時間とみなし得る。一組のＬ相関時間を選択する際に、他の基準も適用することができる。例えば、最小分離基準を使用して、もし２つの相関時間が所定のしきい値より小さい時間間隔により分離されているのであれば、２つの相関時間のうちの一方のみを選択して一組のＬ相関時間に含まれるようにする。
【００６３】
３．次いで、一組のＭ相関時間の副組（ｓｕｂｓｅｔ）を識別する。この副組はＭ相関時間
0004559002.tif 000019
を含み、それらに対応する平均信号強度が第２しきい値より大きい。この第２しきい値は第１しきい値より大きいしきい値である。ここで、Ｍ相関時間の組の副組は、最大の対応する信号強度を有する相関時間
0004559002.tif 000020
含み、τ0，…，τM-1は、一連の増加する遅延である。
【００６４】
４．最強相関時間
0004559002.tif 000021
、
とＭ相関時間の副組における相関時間の他のそれぞれとの間の時間差Δ1，…，ΔM-1をそれぞれ決定する。ただし、Δ1，…，ΔM-1は、増加する値の一連の時間差である。
【００６５】
５．干渉収集相関時間は、次式に従って、相関時間
0004559002.tif 000022
から開始する時間差により求められる。
【００６６】
【数１４】
0004559002.tif 000023
【００６７】
ただし、既に決定した相関時間と同一である、又は十分に近い判定相関時間を除く。
【００６８】
６．識別した所望信号の収集及び干渉収集相関時間をＩＲＣ−ＲＡＫＥ受信機に使用する。
【００６９】
図１３Ａ〜１３Ｂは、この第２の選択戦略を実施する複数の動作１３００例を示す。サーチ・ウィンドウにおける一組の相関時間τiに関連するそれぞれの平均信号強度Ｐiを求める（ブロック１３０２）。反復変数ｉを０にセットし（ブロック１３０４）、信号強度Ｐiを調べて所定の基準を満たしているか否かを確めるループに入る。特定の時間間隔τiに関連する信号強度Ｐiが第１しきい値より大きいときは、相関時間τiを第１組Ａに加える（ブロック１３０６）。更に、組Ａに加えられた各相関時間τiをテストして対応する信号強度Ｐiが第２の、高いしきい値Ｂを超えたか否かを調べる。超えているのであれば、更に、相関時間τiを第２組Ｂに加える（ブロック１３０８）。反復変数ｉを増加し（ブロック１３１０）、次の相関時間τiをテストする。
【００７０】
第１組Ａにおける相関時間が所望信号収集相関時間を表しているので、第１組Ａにおける相関時間をＲＡＫＥ受信機に送出する（ブロック１３１２）。増加する遅延の順で、組ＢにおけるＭ相関時間
0004559002.tif 000024
を識別し（ブロック１３１４）、最大の対応する信号強度を有する相関時間
0004559002.tif 000025
を識別する（ブロック１３１６）。次いで、相関時間
0004559002.tif 000026
と組Ｂの他のそれぞれの相関時間との間でそれぞれの時間差Δjを判断し（ブロック１３１８）、遅延が増加する順｜Δ1｜＜｜Δ2｜＜…で識別する（ブロック１３２０）。
【００７１】
次に、反復変数ｋ及びｍを０にセットし（ブロック１３２２）、干渉収集相関時間を識別する第２ループに入る。次式により第１候補の相関時間
0004559002.tif 000027
を計算する（ブロック１３２４）。
【００７２】
【数１５】
0004559002.tif 000028
【００７３】
計算した相関時間
0004559002.tif 000029
が組Ａ又は第３組Ｃに存在しないときは（即ち、計算した相関時間が組Ａ又はＣ内に既にある相関時間と同一になっていない又は十分に近くないときは）、これを組Ｃに加える（ブロック１３２６）。付加的な相関時間を必要としないときは、例えば、定義すべき付加的なフィンガがＲＡＫＥ受信機に残っていないときは、組Ｃにおける識別した相関時間をＲＡＫＥ受信機において使用する（１３４６）。しかしながら、付加的な相関時間を識別する必要があるときは、反復変数ｋを増加し（ブロック１３２８）、次式に従って付加的な候補相関時間
0004559002.tif 000030
を計算する（ブロック１３３０）。
【００７４】
【数１６】
0004559002.tif 000031
【００７５】
計算したこの相関時間が組Ａ又はＣに存在しないときは（即ち、計算した相関時間が組Ａ又はＣ内に既にある相関時間と同一になっていない又は十分に近くないときは）、これを組Ｃに加える（ブロック１３３２）。付加的な相関時間を必要としないときは、例えば、定義すべき付加的なフィンガがＲＡＫＥ受信機に残っていないときは、組Ｃにある識別した相関時間をＲＡＫＥ受信機に使用する（ブロック１３４６）。
【００７６】
しかしながら、付加的な相関時間が必要なときは、再び反復変数ｋを増加し（ブロック１３３４）、新しい候補相関時間
0004559002.tif 000032
を次式により計算する（ブロック１３３６）。
【００７７】
【数１７】
0004559002.tif 000033
【００７８】
計算した相関時間
0004559002.tif 000034
が組Ａ又はＣに存在しないときは（即ち、計算した相関時間が組Ａ又はＣ内に既にある相関時間と同一になっていない又は十分に近くないときは）、これを組Ｃに加える（ブロック１３３８）。付加的な相関時間を必要としないときは、組Ｃにある識別した相関時間をＲＡＫＥ受信機に使用する（ブロック１３４６）。付加的な相関時間を識別する必要があるときは、再び反復変数ｋを増加し（ブロック１３４０）、次式に従って付加的な候補相関時間
0004559002.tif 000035
を計算する（ブロック１３４２）。
【００７９】
【数１８】
0004559002.tif 000036
【００８０】
計算したこの相関時間
0004559002.tif 000037
が組Ａ又はＣに存在しないときは（即ち、計算した相関時間が組Ａ又はＣ内に既にある相関時間と同一になっていない又は十分に近くないときは）、これを組Ｃに加える（ブロック１３４４）。付加的な相関時間を必要としないときは、組Ｃにある相関時間をＲＡＫＥ受機に使用する（ブロック１３４８）。付加的な相関時間が必要なときは、反復変数ｋ及びｍを増加し（ブロック１３４６）、ループに再び入って新しい候補相関時間
0004559002.tif 000038
を計算する（ブロック１２６０）。必要とする全て相関時間が決まるまで、付加的なループ動作が以上で説明したように進行する。
【００８１】
本発明の他の実施例による第３の相関時間戦略は、ＩＲＣ−ＲＡＫＥ受信機、例えば図４の受信機３９０’用の相関時間を選択するために瞬時最適アプローチを使用する。この第３の戦略によれば、
【００８２】
１．サーチ・ウィンドウ内の複数の相関時間のそれぞれにおいて、図６のサーチ相関ユニットのようなサーチ相関ユニット６１０により発生した複数の相関出力のそれぞれについて瞬時信号強度をそれぞれ判定する。
【００８３】
２．信号強度測定値に基づいて、第１しきい値より大きな、対応する判定した平均信号強度を有する第１組のＬ相関時間
0004559002.tif 000039
を選択する。ただし、
0004559002.tif 000040
は、減少する対応信号強度を有する一連の相関時間である。これらは、所望の信号収集相関時間とみなし得る。一組のＬ相関時間を選択する際に、他の基準も適用することができる。例えば、最小分離基準を使用して、もし２つの相関時間が所定のしきい値より小さい時間間隔により分離されているのであれば、２つの相関時間のうちの一方のみを選択して一組のＬ相関時間に含まれるようにすることができる。
【００８４】
３．最大平均信号強度を有する相関時間
0004559002.tif 000041
とＬ相関時間の組における他の相関時間のそれぞれとの間の時間差Δ1，…，ΔM-1をそれぞれ判定する。
【００８５】
４．干渉収集相関時間は、次式に従って、相関時間
0004559002.tif 000042
から開始する時間差により求められる。
【００８６】
【数１９】
0004559002.tif 000043
ただし、既に求めた相関時間と同一である、又は十分近いと判断した相関時間を除く。
【００８７】
５．所望の信号収集及び干渉収集相関時間をＩＲＣ−ＲＡＫＥ受信機に使用する。
【００８８】
図１４Ａ〜１４Ｂは、この第３の選択戦略を実行する動作１４００例を示す。サーチ・ウィンドウにおける一組の相関時間τiに関連するそれぞれの平均信号強度Ｐiを求める（ブロック１４０５）。反復変数ｉを０にセットし（ブロック１４１０）、ループに入り、信号強度Ｐiを調べて所定の基準を満たしているか否かを確める。特定の相関時間τiに関連する信号強度Ｐiが第１しきい値Ａより大きいときは、相関時間τiを第１組Ａに加える（ブロック１４１５）。次いで、反復変数ｉを増加させ（ブロック１４２０）、次の相関時間τiをテストする。
【００８９】
第１組Ａにおける相関時間が所望信号の収集相関時間を表しているので、第１組Ａにおける相関時間をＲＡＫＥ受信機に送出する（ブロック１２２５）。組ＡにおけるＬ相関時間
0004559002.tif 000044
を、対応する瞬時信号強度の減少する順で識別する（ブロック１４３０）。次いで、相関時間
0004559002.tif 000045
と組Ａの他のそれぞれの相関時間との間でそれぞれの時間差Δ1，Δ2，…を決定する（ブロック１４３５）。
【００９０】
次に、反復変数ｋを０にセットし（ブロック１４４０）、干渉収集相関時間を識別する第２ループに入る。次式により候補相関時間
0004559002.tif 000046
を計算する（ブロック１４４５）。
【００９１】
【数２０】
0004559002.tif 000047
【００９２】
計算したこの相関時間
0004559002.tif 000048
が組Ａ又は第２組Ｂに存在しないときは（即ち、計算した相関時間が組Ａ又はＢ内に既にある相関時間と同一になっていない又は十分に近くないときは）、これを組Ｂに加える（ブロック１４５０）。付加的な相関時間を必要としないときは、例えば定義すべき付加的なフィンガがＲＡＫＥ受信機に残っていないときは、組Ｂにおける識別した相関時間をＲＡＫＥ受信機において使用する（ブロック１４６０）。しかしながら、付加的な相関時間を識別する必要があるときは、反復変数ｋを増加し（ブロック１４５５）、ループに再び入り、新しい候補相関時間
0004559002.tif 000049
を計算する（ブロック１４４５）。従って、必要とする全ての相関時間を判断するまで、付加的なループ動作が以上で説明したように進行する。
【００９３】
更に、本発明の他の実施例による第４の相関時間選択戦略は、ＩＲＣ−ＲＡＫＥ受信機、例えば図４の受信機３９０’用の相関時間を選択するために瞬時最適アプローチを使用する。この第４の戦略によれば、
【００９４】
１．サーチ・ウィンドウ内の複数の相関時間のそれぞれにおいて、図６のサーチ相関ユニット６１０のようなサーチ相関ユニットにより発生した複数の相関出力のそれぞれについて瞬時信号強度をそれぞれ決定する。
【００９５】
２．信号強度測定値に基づいて、第１しきい値より大きな、対応する決定平均信号強度を有する第１組のＬ相関時間
0004559002.tif 000050
を選択する（ただし、
0004559002.tif 000051
は、減少する対応信号強度を有する一連の相関時間である）。これらは、所望の信号収集相関時間とみなし得る。一組のＬ相関時間を選択する際に、他の基準も適用することができる。例えば、最小分離基準を使用した場合、２つの相関時間が所定のしきい値より小さい時間間隔により分離されているのであれば、相関時間のうちの一方のみを選択して一組のＬ相関時間に含まれるようにする。
【００９６】
３．最大平均信号強度を有するＬ相関時間の組における相関時間
0004559002.tif 000052
と、Ｌ相関時間の組における他の相関時間のそれぞれとの間の時間差Δ1，…，ΔM-1をそれぞれ決定する。
【００９７】
４．干渉収集相関時間は、次式に従って、相関時間
0004559002.tif 000053
から開始する時間差により判断される。
【００９８】
【数２１】
0004559002.tif 000054
ただし、既に決定した相関時間と同一である、又は十分近い相関時間は除く。
【００９９】
５．所望信号収集及び干渉収集相関時間をＩＲＣ−ＲＡＫＥ受信機に使用する。
【０１００】
図１５Ａ〜１５Ｂは、この第４の選択戦略を実行する動作１５００例を示す。サーチ・ウィンドウにおける一組の相関時間τiに関連するそれぞれの平均信号強度Ｐiを決定する（ブロック１５０５）。反復変数ｉを０にセットし（ブロック１５１０）、信号強度Ｐiを調べて所定の基準を満たしているか否かを確かめるループに入る。特定の相関時間τiに関連する信号強度Ｐiがあるしきい値Ａより大きいときは、相関時間τiを第１組Ａに加える（ブロック１５１５）。次いで、反復変数ｉを増加させ（ブロック１５２０）、次の相関時間τiをテストする。
【０１０１】
組Ａにおける相関時間が所望信号収集相関時間を表しているので、組Ａにおける相関時間をＲＡＫＥ受信機に送出する（ブロック１５２５）。対応する瞬時信号強度の減少する順で、組ＡにおけるＬ相関時間
0004559002.tif 000055
を識別する（ブロック１５３０）。次いで、相関時間
0004559002.tif 000056
と組Ａの他のそれぞれの相関時間との間でそれぞれの時間差Δ1，Δ2，…を決定する（ブロック１５３５）。
【０１０２】
次に、反復変数ｋ及びｍを０にセットし（ブロック１５４０）、干渉収集相関時間を認識する第２ループに入る。次式により第１候補相関時間
0004559002.tif 000057
を計算する（ブロック１５４５）。
【０１０３】
【数２２】
0004559002.tif 000058
【０１０４】
計算したこの相関時間
0004559002.tif 000059
が組Ａ又は組Ｂに存在しないときは（即ち、計算した相関時間が組Ａ又はＢ内に既にある相関時間と同一になっていない又は十分に近くないときは）、これを組Ｂに加える（ブロック１５５０）。付加的な相関時間を必要としないときは、例えば定義すべき付加的なフィンガがＲＡＫＥ受信機に残っていないときは、組Ｂにおける識別した相関時間をＲＡＫＥ受信機において使用する（ブロック１５７０）。しかしながら、付加的な相関時間を認識する必要があるときは、反復変数ｋを増加し（ブロック１５５５）、次式により新しい候補相関時間
0004559002.tif 000060
を計算する（ブロック１５６０）。
【０１０５】
【数２３】
0004559002.tif 000061
【０１０６】
新たに計算したこの相関時間
0004559002.tif 000062
が組Ａ又は組Ｂに存在しないときは（即ち、計算した相関時間が組Ａ又はＢ内に既にある相関時間と同一になっていない又は十分に近くないときは）、これを組Ｂに加算する（ブロック１５６５）。付加的な相関時間を必要としないときは、例えば定義すべき付加的なフィンガがＲＡＫＥ受信機に残っていないときは、組Ｂ内の識別した相関時間をＲＡＫＥ受信機において使用する（ブロック１５７０）。しかしながら、付加的な相関時間を識別する必要があるときは、反復変数ｋを増加し（ブロック１５５５）、ループに再び入り新しい候補相関時間
0004559002.tif 000063
の計算をする（ブロック１５４５）。必要とする全ての相関時間を決定するまで、付加的なループ動作が以上で説明したように進行する。
【０１０７】
図１２Ａ〜１２Ｂ、図１３Ａ〜１３Ｂ、図１４Ａ〜１４Ｂ、図１５Ａ〜１５Ｂに説明した動作に対するいくつかの変形は、本発明の範囲内に入る。以上で説明した第３及び第４の相関時間選択戦略において、瞬時信号強度測定値を実行する。特定の相関時間に対する信号強度測定値は、好ましくは、特定の相関時間に割り付けたチャネル・トラッカー（ｃｈａｎｎｅｌ  ｔｒａｃｋｅｒ）を使用して行われる。このようにして、特定の相関時間を選択すると、組み合わせ重み付けを決定する際に、例えば図４の重み付け係数計算機４２５、又は図５の重み付け係数計算機５３０においてチャネル予測を利用することもできる。
【０１０８】
他の変形では、サーチ動作を減少させるために瞬時最適相関時間選択戦略により「プロービング・フィンガ（ｐｒｏｂｉｎｇ  ｆｉｎｇｅｒｓ）」を使用してもよい。このようなアプローチにより、平均信号強度測定値に基づいて潜在的な「所望信号」相関時間及び潜在的な「干渉収集」相関時間が識別される。これらの潜在的な相関時間は、例えば、以上で説明した第１及び第２戦略のような平均最適戦略を使用して選択されてもよい。これらの潜在的な相関時間は、以上で説明した第３及び第４戦略のような瞬時最適戦略用の初期の「サーチの組（ｓｅａｒｃｈ  ｓｅｔ）」として（即ち、プロービング・フィンガとして）使用されて選択されてもよい。プロービング・フィンガ相関時間は、例えばパイロット・チャネルを監視することにより、決定してもよい。
【０１０９】
更に他の変形では、相関時間を選択するために使用されるしきい値基準は、対応する信号強度が所定のしきい値を超えるか否かに関係なく、最小数の相関時間を選択するように、「最小カウント」基準により、補強してもよい。例えば、所定のしきい値を超える対応した信号強度を有する相関時間を選択する代わりに、対応する最高の信号強度を有するＬ（又はＭ）相関時間を選択する「最強パスの組」基準を使用してもよい。更に、例えば、第１数Ｌまでは、所定のしきい値を超えた、対応する信号強度を有する相関時間を選択するハイブリッド基準を使用してもよい。ただし、Ｌ’（Ｌ’はＬより小さい）未満の相関時間が所定のしきい値より小さい、対応する信号強度を有するときは、少なくともＬ’相関時間を選択する。適応型しきい値基準を使うこともできる。例えば、相関時間を選択するのに使用されるしきい値は、しきい値基準に適合する相関時間数に依存して増減してもよい。
【０１１０】
更に、他の変形では、干渉収集相関時間を選択するのに、異なる時間差を使用してもよい。例えば、以上で説明した実施例は、最大信号強度を有する相関時間に対して時間差を計算しているが、他の相関時間、例えば、２番目に大きい信号強度を有する相関時間に対する差を求めてもよく、その場合、これらの多くの他の差を相関時間に加え又は減算して、干渉収集相関時間を決定する。
【０１１１】
本発明の他の実施例による第５の相関時間選択戦略は、図５の受信機３９０”のように、ＩＷ−ＲＡＫＥ受信機用に「スライド」（相関時間の組）を選択する平均最適アプローチを使用する。この第５の戦略によると、
【０１１２】
１．複数の相関時間の各々に対する複数の相関出力のそれぞれの各平均信号強度を決定する。
【０１１３】
２．あるしきい値より大きい対応する決定平均信号強度を有する一組のＭ相関時間
0004559002.tif 000064
を決定する。ただし、
0004559002.tif 000065
は、減少する対応する決定平均信号強度を有する一連の相関時間である。
【０１１４】
３．相関時間
0004559002.tif 000066
と一組のＭ相関時間のそれぞれの他の相関時間との間のそれぞれの時間差Δ1，Δ2，…ΔM-1を決定する。
【０１１５】
４．次式により、第１相関時間
0004559002.tif 000067
の組から開始する時間差から、相関時間（即ち、一組のＭ相関時間
0004559002.tif 000068
）
の「ゼロ遅延」の組
0004559002.tif 000069
に対するオフセットである相関時間
0004559002.tif 000070
（即ち、「スライド」）を決定する。
【０１１６】
【数２４】
0004559002.tif 000071
【０１１７】
５．ステップ（４）において決定した相関時間セット
0004559002.tif 000072
をＩＷ−ＲＡＫＥ受信機において、「ゼロ遅延」相関時間の組
0004559002.tif 000073
と共に使用する。
【０１１８】
図１６Ａ〜１６Ｂは、この第５の選択戦略を実行する動作１６００例を示す。サーチ・ウィンドウにおいて一組の相関時間τiに関連するそれぞれの平均信号強度Ｐiを決定する（ブロック１６０５）。反復変数ｉを０にセットし（ブロック１６１０）、信号強度Ｐiを調べて所定の基準を満たしているか否かを確かめるループに入る。特定の相関時間τiに関連する信号強度Ｐiが第１しきい値Ａより大きいときは、相関時間τiを第１組Ａに加える（ブロック１６１５）。ノーのときは、反復変数ｉを増加させ（ブロック１６２０）、次の相関時間τiをテストする。次に、信号強度が減少する順で、組ＡにおけるＬ相関時間
0004559002.tif 000074
を識別する（ブロック１６２５）。相関時間
0004559002.tif 000075
と組Ａの他の相関時間のそれぞれとの間の各時間差Δjを決定する（ブロック１６３０）。
【０１１９】
次に、反復変数ｋ及びｍをそれぞれ１及び０にセットし（ブロック１２５５）、第２ループに入る。第１相関時間セット
0004559002.tif 000076
を次式により計算する。
【０１２０】
【数２５】
0004559002.tif 000077
ただし、
0004559002.tif 000078
は、「ゼロ遅延」相関時間の組を表す（ブロック１６４５）。
【０１２１】
計算した相関時間の組
0004559002.tif 000079
を組Ｂに加える。付加的な相関時間を必要としないときは、例えば、定義すべき付加的なフィンガがＩＷ−ＲＡＫＥ受信機に残っていないときは、「ゼロ遅延」相関時間と共に、組Ｂにおける識別した相関時間をＩＷ−ＲＡＫＥ受信機において使用する（ブロック１６８０）。しかしながら、付加的な相関時間を認識する必要があるときは、反復変数ｋを増加し（ブロック１６６０）、次式により付加的な相関時間の組
0004559002.tif 000080
を計算し（ブロック１６６５）、組Ｂに加算する（ブロック１６７０）。
【０１２２】
【数２６】
0004559002.tif 000081
【０１２３】
付加的な相関時間を必要としないときは、ゼロ遅延相関時間と共に、組Ｂにおける相関時間の組（１組または複数組）をＩＷ−ＲＡＫＥ受信機に使用する（ブロック１６８０）。付加的な相関時間の組を必要とするときは、反復変数ｋ及びｍを増加し（ブロック１６７５）、ループに再び入り、新しい候補相関時間セット
0004559002.tif 000082
を計算する（ブロック１６４５）。必要とする全ての相関時間を判断するまで、付加ループ動作が以上で説明したように進行する。
【０１２４】
ここで図４〜６を参照して説明した受信機装置のような装置を実施するために使用された、ディスクリートなアナログ及び／又はディジタル・ハードウェア、ＡＳＩＣ又はゲートアレーのような特殊用途向けのハードウェアを使用して、図１２Ａ〜１２Ｂ、図１３Ａ〜１３Ｂ、図１４Ａ〜１４Ｂ、図１５Ａ〜１５Ｂ及び図１６Ａ〜１６Ｂのフロー・チャートのブロック、及びそれらのブロックの組み合わせを実施することができることを理解すべきである。更に、図１２Ａ〜１２Ｂ、図１３Ａ〜１３Ｂ、図１４Ａ〜１４Ｂ、図１５Ａ〜１５Ｂ及び図１６Ａ〜１６Ｂのフロー・チャートのブロック、及びそれらのブロックの組み合わせは、図４〜６を参照してここで説明した受信機装置のような装置を実施するために使用されるマイクロコントローラ、マイクロプロセッサ、ＡＳＩＣ、ＤＳＰ又は他の処理回路のようなコンピュータ又は他のプログラマブル装置上にロードされて実行可能とされる複数のコンピュータ・プログラム命令を使用して、コンピュータ、又は他のプログラマブル・データ処理装置上で実行される複数の命令が、フロー・チャートの１つ又は複数のブロックにおいて指定された複数の機能を実施する手段を形成するようにマシンを製作することにより、実施可能とされる。これらのコンピュータ・プログラム命令は、コンピュータ、又は他のプログラマブル・データ処理装置上にロードされ、一連の動作ステップがコンピュータ又は他のプログラマブル装置上で実行されるようにし、コンピュータ又は他のプログラマブル装置上で実行する命令がフロー・チャートの１つ又は複数のブロックにおいて指定された複数機能を実行するためのステップを提供するようにし、コンピュータ実施された装置を製作するようにしてもよい。従って、図１２Ａ〜１２Ｂ、図１３Ａ〜１３Ｂ、図１４Ａ〜１４Ｂ、図１５Ａ〜１５Ｂ及び図１６Ａ〜１６Ｂのフロー・チャートのこれらブロックは、複数の指定された機能を実行する複数の指定された機能及び複数ステップの組み合わせを実行する手段の組み合わせをサポートする。図１２Ａ〜１２Ｂ、図１３Ａ〜１３Ｂ、図１４Ａ〜１４Ｂ、図１５Ａ〜１５Ｂ及び図１６Ａ〜１６Ｂの複数フロー・チャートの各ブロック及びこれらブロックの組み合わせは、指定された機能又はステップを実行する特殊用途ハードウェアに基づくコンピュータ・システム、又は特殊用途のハードウェア及びコンピュータ命令の組み合わせにより、実施されてもよいことを理解すべきである。
【０１２５】
図１２Ａ〜１２Ｂ、図１３Ａ〜１３Ｂ、図１４Ａ〜１４Ｂ、図１５Ａ〜１５Ｂ及び図１６Ａ〜１６Ｂに示した動作に連携して又は代わって他の動作が使用されてもよいことを理解すべきである。例えば、しきい値基準は、多数の方法、例えば「最強」のマルチパス成分（光線（ｒａｙ））に対する比較により（例えば、複数のマルチパス成分を最高の信号電力を有する１マルチパス成分に正規化することにより）、又は信号対雑音比（ＳＮＲ）のような他の相対的な測定値を使用することにより、実施されてもよい。加えて、チャネルにおける遅延拡散がコンパクト（ｃｏｍｐａｃｔ）でなく、マルチパス成分が「複数の島（ｉｓｌａｎｄｓ）」のようになっているときは、このような各島の縁において「干渉収集」相関時間を選択することができる。
【０１２６】
以上で説明した戦略は、「自己セル（ｏｗｎ−ｃｅｌｌ）」干渉の抑圧に都合よく採用可能とされるが、受信機性能は、他のセルからの干渉、例えば受信機がソフト・ハンドオフ・モードにあるときに他の基地局からの干渉により制限され得る。このような状況において、以上で述べた戦略は、更に、典型的にソフト・ハンドオフ手順の際に発生するチャネル応答を使用して、その他の基地局からの干渉を抑圧する相関時間を選択するために使用されてもよい。ソフト・ハンドオフでないときは、干渉する他の基地局からのチャネル応答の予測は、移動体支援ハンドオフ（ｍｏｂｉｌｅ−ａｓｓｉｓｔｅｄ  ｈａｎｄｏｆｆ（ＭＡＨＯ））手順の副産物としてまだ利用可能であり、かつこれら他の基地局により発生した干渉信号によるエネルギを収集する相関時間を発生するために使用されてもよい。多数の基地局応答によるタップ・スペーシング（ｔａｐ  ｓｐａｃｉｎｇ）を混合するハイブリッド戦略を使用することもできる。究極的には、ＳＮＲ性能係数は、いくつかの代替的な相関時間選択戦略間で選択するために使用されてもよい。
【０１２７】
相関時間は、更に、チャネル応答予測、例えば瞬時チャネル応答又は平均チャネル応答予測（例えば、平均チャネル応答値予測）のようなチャネル応答予測の逆フィルタに基づいて判断されてもよい。遅延時間０及びｄ1及び対応するチャネル増幅１及びａ1を有する２放射例（ｔｗｏ−ｒａｙ  ｅｘａｍｐｌｅ）をそれぞれ考慮し、｜ａ1｜＜１とすると、このようなチャネルのインパルス応答は、次式のｚ領域多項式により特徴付けられてもよい。
【０１２８】
【数２７】
0004559002.tif 000083
【０１２９】
ｇ（ｚ）の逆フィルタは、次式により与えられることを示すことができる。
【０１３０】
【数２８】
0004559002.tif 000084
ただし、
0004559002.tif 000085
【０１３１】
逆フィルタリング原理によれば、基準｜ｂk｜＞ηを満足させる対応の係数ｂkを有する相関時間の
0004559002.tif 000086
は、ＲＡＫＥ受信機に使用ために選択されてもよい。ただし、ηは、所定のしきい値である。このような手順は、例えば図４〜６の相関タイミング判定器３９４、３９４’、３９４”に実施されてもよい。このような形式にある相関時間の選択は、受信信号における損傷がセル内干渉により支配的なときに、特に効果的となり得る。
【０１３２】
本発明の好ましい典型的な実施例を開示した図面及び明細書には、特定の用語を採用したが、限定の目的ではなく、総称的かつ記述的な意味においてのみ使用され、本発明の範囲は、下記の請求の範囲に明記されている。
【図面の簡単な説明】
【図１】  従来の陸上セルラ通信システムを示す概要ブロック図である。
【図２】  従来の衛星に基づくワイヤレス通信システムを示す概要ブロック図である。
【図３】  本発明の一実施例によるワイヤレス端末を示す概要ブロック図である。
【図４】  本発明の一実施例による干渉除去組み合わせ（ＩＲＣ）ＲＡＫＥ受信機を示す概要ブロック図である。
【図５】  本発明による干渉ホワイトニング（ＩＷ）ＲＡＫＥ受信機を示す概要ブロック図である。
【図６】  本発明の一実施例による相関タイミング判定器を示す概要ブロック図である。
【図７】  例示的な相関サーチ・ウィンドウ及びチャネル・モデルを示す。
【図８】  ＩＲＣ−ＲＡＫＥ及びＩＷ−ＲＡＫＥ受信機に対する信号確率例を示すヒストグラムである。
【図９】  ＩＲＣ−ＲＡＫＥ及びＩＷ−ＲＡＫＥ受信機に対する信号確率例を示すヒストグラムである。
【図１０】  ＩＲＣ−ＲＡＫＥ及びＩＷ−ＲＡＫＥ受信機に対する信号確率例を示すヒストグラムである。
【図１１】  ＩＲＣ−ＲＡＫＥ及びＩＷ−ＲＡＫＥ受信機に対する信号確率例を示すヒストグラムである。
【図１２Ａ】  本発明の一実施例による第１の相関時間選択戦略の動作例を示す。
【図１２Ｂ】  本発明の一実施例による第１の相関時間選択戦略の動作例を示す。
【図１３Ａ】  本発明の一実施例による第２の相関時間選択戦略の動作例を示す。
【図１３Ｂ】  本発明の一実施例による第２の相関時間選択戦略の動作例を示す。
【図１４Ａ】  本発明の一実施例による第３の相関時間選択戦略の動作例を示す。
【図１４Ｂ】  本発明の一実施例による第３の相関時間選択戦略の動作例を示す。
【図１５Ａ】  本発明の一実施例による第４の相関時間選択戦略の動作例を示す。
【図１５Ｂ】  本発明の一実施例による第４の相関時間選択戦略の動作例を示す。
【図１６Ａ】  本発明の一実施例による第５の相関時間選択戦略の動作例を示す。
【図１６Ｂ】  本発明の一実施例による第５の相関時間選択戦略の動作例を示す。
【図１】
0004559002.tif 000149
【図２】
0004559002.tif 000150
【図３】
0004559002.tif 000151
【図４】
0004559002.tif 000152
【図５】
0004559002.tif 000153
【図６】
0004559002.tif 000154
【図７】
0004559002.tif 000155
【図８】
0004559002.tif 000156
【図９】
0004559002.tif 000157
【図１０】
0004559002.tif 000158
【図１１】
0004559002.tif 000159
【図１２Ａ】
0004559002.tif 000160
【図１２Ｂ】
0004559002.tif 000161
【図１３Ａ】
0004559002.tif 000162
【図１３Ｂ】
0004559002.tif 000163
【図１３Ｂ−１】
0004559002.tif 000164
【図１３Ｂ−２】
0004559002.tif 000165
【図１４Ａ】
0004559002.tif 000166
【図１４Ｂ】
0004559002.tif 000167
【図１５Ａ】
0004559002.tif 000168
【図１５Ｂ】
0004559002.tif 000169
【図１６Ａ】
0004559002.tif 000170
【図１６Ｂ】
0004559002.tif 000171